(57)【特許請求の範囲】
【請求項１】
身体側表面を形成する透液性トップシートと、その裏面側に位置する液不透過性シートと、これら透液性トップシートと液不透過性シートとの間に配置され、幅方向中央に沿って下腹部から股間部を通り臀部まで延在する吸収体と、前記液不透過性シートの外面を覆う不織布からなる外装シートと、背側の両側部に設けられたファスニングテープと、このファスニングテープに設けられたフック材とを備え、前記ファスニングテープのフック材が腹側外面における係止領域に係止されることで装着されるように構成された、テープタイプ使い捨ておむつにおいて、
前記外装シートは、目付け１５〜５０ｇ／ｍ2、厚み０．５〜３．０ｍｍ、繊度１〜５ｄｔｅｘ、かつ繊維長１〜５１ｍｍの短繊維不織布からなり、
前記外装シートにおける前記係止領域以外の外面に、多数の線状又は点状のエンボス凹部が形成されることによって、エンボス凹部に対して相対的に突出する多数の凸部が形成されており、
前記外装シートは前記液不透過性シートに対してホットメルト接着剤により接着されており、
少なくとも腹側部分における前記外装シートの両側部ではその間の部分よりも前記ホットメルト接着剤の塗布量が多く、かつこのホットメルト接着剤の塗布量が多い領域に前記エンボス凹部が形成されている、
ことを特徴とするテープタイプ使い捨ておむつ。
【請求項２】
身体側表面を形成する透液性トップシートと、その裏面側に位置する液不透過性シートと、これら透液性トップシートと液不透過性シートとの間に配置され、幅方向中央に沿って下腹部から股間部を通り臀部まで延在する吸収体と、前記液不透過性シートの外面を覆う不織布からなる外装シートと、背側の両側部に設けられたファスニングテープと、このファスニングテープに設けられたフック材とを備え、前記ファスニングテープのフック材が腹側外面における係止領域に係止されることで装着されるように構成された、テープタイプ使い捨ておむつにおいて、
前記外装シートは、目付け１５〜５０ｇ／ｍ2、厚み０．５〜３．０ｍｍ、繊度１〜５ｄｔｅｘ、かつ繊維長１〜５１ｍｍの短繊維不織布からなり、
前記外装シートにおける前記係止領域以外の外面に、多数の線状又は点状のエンボス凹部が形成されることによって、エンボス凹部に対して相対的に突出する多数の凸部が形成されており、
少なくとも腹側部分における前記外装シートの両側部及びその間の中間部に、多数の線状又は点状のエンボス凹部がそれぞれ形成されており、
前記多数のエンボス凹部の形成領域の面積に対するエンボス凹部の底部の総面積の割合が、前記中間部よりも前記両側部の方が高い、
ことを特徴とするテープタイプ使い捨ておむつ。
【請求項３】
身体側表面を形成する透液性トップシートと、その裏面側に位置する液不透過性シートと、これら透液性トップシートと液不透過性シートとの間に配置され、幅方向中央に沿って下腹部から股間部を通り臀部まで延在する吸収体と、前記液不透過性シートの外面を覆う不織布からなる外装シートと、背側の両側部に設けられたファスニングテープと、このファスニングテープに設けられたフック材とを備え、前記ファスニングテープのフック材が腹側外面における係止領域に係止されることで装着されるように構成された、テープタイプ使い捨ておむつにおいて、
前記外装シートは、目付け１５〜５０ｇ／ｍ2、厚み０．５〜３．０ｍｍ、繊度１〜５ｄｔｅｘ、かつ繊維長１〜５１ｍｍの短繊維不織布からなり、
前記外装シートにおける前記係止領域以外の外面に、多数の線状又は点状のエンボス凹部が形成されることによって、エンボス凹部に対して相対的に突出する多数の凸部が形成されており、
前記外装シートにおける少なくとも前記ファスニングテープの付け根部と重なる領域には前記エンボス凹部が形成されていない、
ことを特徴とするテープタイプ使い捨ておむつ。
【請求項４】
身体側表面を形成する透液性トップシートと、その裏面側に位置する液不透過性シートと、これら透液性トップシートと液不透過性シートとの間に配置され、幅方向中央に沿って下腹部から股間部を通り臀部まで延在する吸収体と、前記液不透過性シートの外面を覆う不織布からなる外装シートと、背側の両側部に設けられたファスニングテープと、このファスニングテープに設けられたフック材とを備え、前記ファスニングテープのフック材が腹側外面における係止領域に係止されることで装着されるように構成された、テープタイプ使い捨ておむつにおいて、
前記外装シートは、目付け１５〜５０ｇ／ｍ2、厚み０．５〜３．０ｍｍ、繊度１〜５ｄｔｅｘ、かつ繊維長１〜５１ｍｍの短繊維不織布からなり、
前記外装シートにおける前記係止領域以外の外面に、多数の線状又は点状のエンボス凹部が形成されることによって、エンボス凹部に対して相対的に突出する多数の凸部が形成されており、
前記液不透過性シートの前記吸収体側に、尿との接触により排尿があったことを表示するインジケータが設けられており、前記エンボス凹部はこのインジケータを避けるように配置されている、
ことを特徴とするテープタイプ使い捨ておむつ。
【請求項５】
前記外装シートにおける前記凸部の厚みが１〜５ｍｍとされ、
前記外装シートにおける前記エンボス凹部の底部の厚みが０．１〜１．０ｍｍとされ、
前記多数のエンボス凹部の形成領域の面積に対するエンボス凹部の底部の総面積の割合が１０〜５０％とされている、請求項１〜４のいずれか１項に記載のテープタイプ使い捨ておむつ。
【請求項６】
前記エンボス凹部は前後方向に沿う線状凹部であり、かつこの線状凹部の底部の幅は０．１〜２．０ｍｍとされ、隣接する線状凹部の底部の幅方向間隔は１．０〜５．０ｍｍとされている、請求項１〜５のいずれか１項に記載のテープタイプ使い捨ておむつ。
【発明の詳細な説明】
【技術分野】
【０００１】
本発明は、テープタイプ使い捨ておむつに関するものである。
【背景技術】
【０００２】
テープタイプ使い捨ておむつは、透液性トップシートと、その裏面側に位置する液不透過性シートと、これら透液性トップシートと液不透過性シートとの間において、幅方向中央に沿って下腹部から股間部を通り臀部まで延在する吸収体と、背側の両側部に設けられたファスニングテープとを備え、ファスニングテープを腹側外面に係止することで装着を行うものである（例えば特許文献１、２参照）。
【０００３】
特に、おむつの内面における幅方向両側部にはいわゆる立体ギャザーがそれぞれ前後方向に沿って延在されるとともに、外面が不織布からなる外装シートにより覆われている構造が一般的となっており、またファスニングテープの係止手段としてはメカニカルファスナー（面ファスナー）のフック材（雄材）を用いることが一般的となっている。
【０００４】
このようなテープタイプ使い捨ておむつでは、外装シートにエアスルー不織布等の短繊維不織布を用いることにより、外面の肌触りを柔軟なものとすることができる。
しかし、外装シートに短繊維不織布を用いると、おむつ交換の際にファスニングテープのフック材が外装シート表面に勝手にくっついたとき、これを剥がすと外装シートが毛羽立ったり、破れたりするおそれがある。この問題は一見些細なことではあるが、ユーザーを苛々させ、ストレスをもたらすものであり、解決する必要がある。
【先行技術文献】
【特許文献】
【０００５】
【特許文献１】特開２００５−３１９１４２号公報
【特許文献２】特開２００７−１６７３６８号公報
【特許文献３】特開平１０−７６５９２号公報
【特許文献４】特願２００６−１１００２５号公報
【特許文献５】特開平１１−１１５０８０号公報
【発明の概要】
【発明が解決しようとする課題】
【０００６】
そこで、本発明の主たる課題は、おむつ交換の際に外装シート表面に勝手にくっついたファスニングテープのフック材を剥がすことによる外装シートの毛羽立ちや破れを防止することにある。
【課題を解決するための手段】
【０００７】
上記課題を解決した本発明は次記のとおりである。
＜請求項１記載の発明＞
身体側表面を形成する透液性トップシートと、その裏面側に位置する液不透過性シートと、これら透液性トップシートと液不透過性シートとの間に配置され、幅方向中央に沿って下腹部から股間部を通り臀部まで延在する吸収体と、前記液不透過性シートの外面を覆う不織布からなる外装シートと、背側の両側部に設けられたファスニングテープと、このファスニングテープに設けられたフック材とを備え、前記ファスニングテープのフック材が腹側外面における係止領域に係止されることで装着されるように構成された、テープタイプ使い捨ておむつにおいて、
前記外装シートは、目付け１５〜５０ｇ／ｍ2、厚み０．５〜３．０ｍｍ、繊度１．０〜５．０ｄｔｅｘ、かつ繊維長１〜５１ｍｍの短繊維不織布からなり、
前記外装シートにおける前記係止領域以外の外面に、多数の線状又は点状のエンボス凹部が形成されることによって、エンボス凹部に対して相対的に突出する多数の凸部が形成されており、
前記外装シートは前記液不透過性シートに対してホットメルト接着剤により接着されており、
少なくとも腹側部分における前記外装シートの両側部ではその間の部分よりも前記ホットメルト接着剤の塗布量が多く、かつこのホットメルト接着剤の塗布量が多い領域に前記エンボス凹部が形成されている、
ことを特徴とするテープタイプ使い捨ておむつ。
【０００８】
（作用効果）
このように、外装シートとして柔軟で嵩高な不織布を用いても、外装シートにおける係止領域以外の外面に、多数の線状又は点状のエンボス凹部が形成されることによって、エンボス凹部に対して相対的に突出する多数の凸部が形成されていると、表面の接触面積が減少することによりファスニングテープのフック材がくっつき難くなる。つまり、おむつ交換の際にファスニングテープのフック材が外装シート表面に勝手にくっつき難くなり、その結果外装シートの毛羽立ちや、破れが発生し難くなる。また、エンボス凹部では繊維が圧縮されて強固に固定されるため、仮に凸部にフック材がくっつきこれを剥がしたとしても、毛羽立ちや破れは発生し難い。しかも、凸部に適度な弾力性が生まれるため、柔軟な肌触りが損なわれることもない。
また、外装シートは腹側部分の両側部にファスニングテープのフック材がくっつきやすい。よって、この部分の毛羽立ちや破れを防止するために、外装シートを固定するための接着剤塗布量を中間部よりも多くするのが好ましい。ただし、そのままではホットメルト接着剤による硬さが目立つようになるため、この多量塗布領域に前述のエンボス凹部を形成し、外装シートに弾力性を持たせ、硬さを隠蔽するのが好ましい。
【０００９】
＜請求項２記載の発明＞
身体側表面を形成する透液性トップシートと、その裏面側に位置する液不透過性シートと、これら透液性トップシートと液不透過性シートとの間に配置され、幅方向中央に沿って下腹部から股間部を通り臀部まで延在する吸収体と、前記液不透過性シートの外面を覆う不織布からなる外装シートと、背側の両側部に設けられたファスニングテープと、このファスニングテープに設けられたフック材とを備え、前記ファスニングテープのフック材が腹側外面における係止領域に係止されることで装着されるように構成された、テープタイプ使い捨ておむつにおいて、
前記外装シートは、目付け１５〜５０ｇ／ｍ2、厚み０．５〜３．０ｍｍ、繊度１〜５ｄｔｅｘ、かつ繊維長１〜５１ｍｍの短繊維不織布からなり、
前記外装シートにおける前記係止領域以外の外面に、多数の線状又は点状のエンボス凹部が形成されることによって、エンボス凹部に対して相対的に突出する多数の凸部が形成されており、
少なくとも腹側部分における前記外装シートの両側部及びその間の中間部に、多数の線状又は点状のエンボス凹部がそれぞれ形成されており、
前記多数のエンボス凹部の形成領域の面積に対するエンボス凹部の底部の総面積の割合が、前記中間部よりも前記両側部の方が高い、
ことを特徴とするテープタイプ使い捨ておむつ。
【００１０】
（作用効果）
このように、外装シートとして柔軟で嵩高な不織布を用いても、外装シートにおける係止領域以外の外面に、多数の線状又は点状のエンボス凹部が形成されることによって、エンボス凹部に対して相対的に突出する多数の凸部が形成されていると、表面の接触面積が減少することによりファスニングテープのフック材がくっつき難くなる。つまり、おむつ交換の際にファスニングテープのフック材が外装シート表面に勝手にくっつき難くなり、その結果外装シートの毛羽立ちや、破れが発生し難くなる。また、エンボス凹部では繊維が圧縮されて強固に固定されるため、仮に凸部にフック材がくっつきこれを剥がしたとしても、毛羽立ちや破れは発生し難い。しかも、凸部に適度な弾力性が生まれるため、柔軟な肌触りが損なわれることもない。
また、外装シートは腹側部分の両側部にファスニングテープのフック材がくっつきやすい。よって、この部分におけるエンボス凹部の底部の面積率（多数のエンボス凹部の形成領域の面積に対するエンボス凹部の底部の総面積の割合）を相対的に大きくすることにより、フック材をよりくっつき難くするのが好ましい。
【００１１】
＜請求項３記載の発明＞
身体側表面を形成する透液性トップシートと、その裏面側に位置する液不透過性シートと、これら透液性トップシートと液不透過性シートとの間に配置され、幅方向中央に沿って下腹部から股間部を通り臀部まで延在する吸収体と、前記液不透過性シートの外面を覆う不織布からなる外装シートと、背側の両側部に設けられたファスニングテープと、このファスニングテープに設けられたフック材とを備え、前記ファスニングテープのフック材が腹側外面における係止領域に係止されることで装着されるように構成された、テープタイプ使い捨ておむつにおいて、
前記外装シートは、目付け１５〜５０ｇ／ｍ2、厚み０．５〜３．０ｍｍ、繊度１〜５ｄｔｅｘ、かつ繊維長１〜５１ｍｍの短繊維不織布からなり、
前記外装シートにおける前記係止領域以外の外面に、多数の線状又は点状のエンボス凹部が形成されることによって、エンボス凹部に対して相対的に突出する多数の凸部が形成されており、
前記外装シートにおける少なくとも前記ファスニングテープの付け根部と重なる領域には前記エンボス凹部が形成されていない、
ことを特徴とするテープタイプ使い捨ておむつ。
【００１２】
（作用効果）
このように、外装シートとして柔軟で嵩高な不織布を用いても、外装シートにおける係止領域以外の外面に、多数の線状又は点状のエンボス凹部が形成されることによって、エンボス凹部に対して相対的に突出する多数の凸部が形成されていると、表面の接触面積が減少することによりファスニングテープのフック材がくっつき難くなる。つまり、おむつ交換の際にファスニングテープのフック材が外装シート表面に勝手にくっつき難くなり、その結果外装シートの毛羽立ちや、破れが発生し難くなる。また、エンボス凹部では繊維が圧縮されて強固に固定されるため、仮に凸部にフック材がくっつきこれを剥がしたとしても、毛羽立ちや破れは発生し難い。しかも、凸部に適度な弾力性が生まれるため、柔軟な肌触りが損なわれることもない。
また、外装シートにおける少なくともファスニングテープの付け根部と重なる領域にエンボス凹部が形成されていると、ファスニングテープの取付強度が低下することがあるため、この部分にはエンボス凹部を設けないことが望ましい。
【００１３】
＜請求項４記載の発明＞
身体側表面を形成する透液性トップシートと、その裏面側に位置する液不透過性シートと、これら透液性トップシートと液不透過性シートとの間に配置され、幅方向中央に沿って下腹部から股間部を通り臀部まで延在する吸収体と、前記液不透過性シートの外面を覆う不織布からなる外装シートと、背側の両側部に設けられたファスニングテープと、このファスニングテープに設けられたフック材とを備え、前記ファスニングテープのフック材が腹側外面における係止領域に係止されることで装着されるように構成された、テープタイプ使い捨ておむつにおいて、
前記外装シートは、目付け１５〜５０ｇ／ｍ2、厚み０．５〜３．０ｍｍ、繊度１〜５ｄｔｅｘ、かつ繊維長１〜５１ｍｍの短繊維不織布からなり、
前記外装シートにおける前記係止領域以外の外面に、多数の線状又は点状のエンボス凹部が形成されることによって、エンボス凹部に対して相対的に突出する多数の凸部が形成されており、
前記液不透過性シートの前記吸収体側に、尿との接触により排尿があったことを表示するインジケータが設けられており、前記エンボス凹部はこのインジケータを避けるように配置されている、
ことを特徴とするテープタイプ使い捨ておむつ。
【００１４】
（作用効果）
このように、外装シートとして柔軟で嵩高な不織布を用いても、外装シートにおける係止領域以外の外面に、多数の線状又は点状のエンボス凹部が形成されることによって、エンボス凹部に対して相対的に突出する多数の凸部が形成されていると、表面の接触面積が減少することによりファスニングテープのフック材がくっつき難くなる。つまり、おむつ交換の際にファスニングテープのフック材が外装シート表面に勝手にくっつき難くなり、その結果外装シートの毛羽立ちや、破れが発生し難くなる。また、エンボス凹部では繊維が圧縮されて強固に固定されるため、仮に凸部にフック材がくっつきこれを剥がしたとしても、毛羽立ちや破れは発生し難い。しかも、凸部に適度な弾力性が生まれるため、柔軟な肌触りが損なわれることもない。
また、使い捨ておむつにはインジケータを設けることが一般的となっているが、エンボス凹部がインジケータと重なると、インジケータの見え具合に影響を及ぼすおそれがあるため、インジケータを避けてエンボス凹部を設けるのが好ましい。
【００１５】
＜請求項５記載の発明＞
前記外装シートにおける前記凸部の厚みが１〜５ｍｍとされ、
前記外装シートにおける前記エンボス凹部の底部の厚みが０．１〜１．０ｍｍとされ、
前記多数のエンボス凹部の形成領域の面積に対するエンボス凹部の底部の総面積の割合が１０〜５０％とされている、請求項１〜４のいずれか１項に記載のテープタイプ使い捨ておむつ。
【００１６】
【００１７】
（作用効果）
外装シートにおける凸部の厚み、エンボス凹部の底部の厚み、エンボス凹部の底部の面積率（多数のエンボス凹部の形成領域の面積に対するエンボス凹部の底部の総面積の割合）は、この範囲とするのが好ましい。
【００１８】
＜請求項６記載の発明＞
前記エンボス凹部は前後方向に沿う線状凹部であり、かつこの線状凹部の底部の幅は０．１〜２．０ｍｍとされ、隣接する線状凹部の底部の幅方向間隔は１．０〜５．０ｍｍとされている、請求項１〜５のいずれか１項に記載のテープタイプ使い捨ておむつ。
【００１９】
（作用効果）
エンボス凹部の形状は適宜定めることができるが、このような縦縞状パターンであると、縦方向の摩擦係数が減少し、肌ざわりが滑らかになるため好ましい。
【００２０】
【００２１】
【発明の効果】
【００２２】
以上のとおり、本発明によれば、おむつ交換の際に外装シート表面に勝手にくっついたファスニングテープのフック材を剥がすことによる外装シートの毛羽立ちや破れを防止できる、等の利点がもたらされる。
【図面の簡単な説明】
【００２３】
【図１】テープタイプ使い捨ておむつの内面を示す、おむつを展開した状態における平面図である。
【図２】テープタイプ使い捨ておむつの外面を示す、おむつを展開した状態における平面図である。
【図３】図１の６−６線断面図である。
【図４】図１の７−７線断面図である。
【図５】図１の８−８線断面図である。
【図６】図１の９−９線断面図である。
【図７】図１の５−５線断面図である。
【図８】要部拡大断面図である。
【図９】他のテープタイプ使い捨ておむつの外面を示す、おむつを展開した状態における平面図である。
【図１０】他のテープタイプ使い捨ておむつの外面を示す、おむつを展開した状態における平面図である。
【発明を実施するための形態】
【００２４】
以下、本発明の実施形態について添付図面を参照しつつ説明する。
＜吸収性物品の例＞
図１〜図７はテープタイプ使い捨ておむつの一例を示しており、図中の符号Ｘはファスニングテープを除いたおむつの全幅を示しており、符号Ｌはおむつの全長を示しており、断面図中の点模様部分はホットメルト接着剤の塗布部分を示している。
【００２５】
このテープタイプ使い捨ておむつは、幅方向中央に沿って下腹部から股間部を通り臀部までを覆うように延在する部分であって、且つ身体側表面を形成する透液性トップシートと、外面側に位置する液不透過性シートとの間に吸収要素５０が介在する部分である吸収性本体部１０と、この吸収性本体部１０の前側及び後側にそれぞれ延出する部分であって、且つ吸収要素５０を有しない部分である腹側エンドフラップ部ＥＦ及び背側エンドフラップ部ＥＦとを有するものである。
【００２６】
また、このテープタイプ使い捨ておむつは、吸収体の側縁よりも側方に延出する一対のサイドフラップ部ＳＦ，ＳＦを有しており、背側におけるサイドフラップ部ＳＦ，ＳＦにはファスニングテープ１３がそれぞれ設けられている。
【００２７】
より詳細には、吸収性本体部１０ならびに各サイドフラップ部ＳＦ，ＳＦの外面全体が外装シート１２により形成されている。特に、吸収性本体部１０においては、外装シート１２の内面側に液不透過性シート１１がホットメルト接着剤等の接着剤により固定され、さらにこの液不透過性シート１１の内面側に吸収要素５０、中間シート４０、およびトップシート３０がこの順に積層されている。トップシート３０および液不透過性シート１１は図示例では長方形であり、吸収要素５０よりも前後方向および幅方向において若干大きい寸法を有しており、トップシート３０における吸収要素５０の側縁より食み出る周縁部と、液不透過性シート１１における吸収要素５０の側縁より食み出る周縁部とがホットメルト接着剤などにより固着されている。また液不透過性シート１１は透湿性のポリエチレンフィルム等からなり、トップシート３０よりも若干幅広に形成されている。
【００２８】
さらに、この吸収性本体部１０の両側には、装着者の肌側に突出（起立）する側部立体ギャザー６０，６０が設けられており、この側部立体ギャザー６０，６０を形成するギャザーシート６２，６２が、トップシート３０の両側部上から各サイドフラップ部ＳＦ，ＳＦの内面までの範囲に固着されている。
【００２９】
以下、各部の素材および特徴部分について順に説明する。
（液不透過性シート）
液不透過性シート１１の素材は、特に限定されるものではないが、例えば、ポリエチレンやポリプロピレン等のオレフィン系樹脂や、ポリエチレンシート等に不織布を積層したラミネート不織布、防水フィルムを介在させて実質的に液不透過性を確保した不織布（この場合は、防水フィルムと不織布とで液不透過性シートが構成される。）などを例示することができる。もちろん、このほかにも、近年、ムレ防止の観点から好まれて使用されている液不透過性かつ透湿性を有する素材も例示することができる。この液不透過性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。さらに、マイクロデニール繊維を用いた不織布、熱や圧力をかけることで繊維の空隙を小さくすることによる防漏性強化、高吸水性樹脂または疎水性樹脂や撥水剤の塗工といった方法により、防水フィルムを用いずに液不透過性としたシートも、液不透過性シート１１として用いることができる。
【００３０】
（トップシート）
トップシート３０は液透過性を有するものであれば足り、例えば、有孔又は無孔の不織布や、多孔性プラスチックシートなどを用いることができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００３１】
（中間シート）
トップシート３０を透過した排泄物を吸収体へ移動させ、逆戻りを防ぐために、トップシート３０と吸収要素５０との間に中間シート（セカンドシートもいわれる）４０を設けることができる。この中間シート４０は、排泄物を速やかに吸収体へ移行させて吸収体による吸収性能を高めるばかりでなく、吸収した排泄物の吸収体からの逆戻りを防止し、トップシート３０表面を肌触りを良くするものである。中間シート４０は省略することもできる。
中間シート４０としては、トップシート３０と同様の素材を用いることができる。中間シート４０はトップシート３０に接合するのが好ましく、その接合にヒートエンボスや超音波溶着を用いる場合は、中間シート４０の素材はトップシート３０と同程度の融点をもつものが好ましい。また、便中の固形分を透過させることを考慮するならば中間シート４０に用いる繊維の繊度は５．０〜７．０ｄｔｅｘであるのが好ましいが、トップシート３０における液残りが多くなる。これに対して、中間シート４０に用いる繊維の繊度が１．０〜２．０ｄｔｅｘであると、トップシート３０の液残りは発生し難いが、便の固形分が透過し難くなる。よって、中間シート４０に用いる不織布の繊維は繊度が２．０〜５．０ｄｔｅｘ程度とするのが好ましい。
図示の形態の中間シート４０は、吸収要素５０の幅より短く中央に配置されているが、全幅にわたって設けてもよい。中間シート４０の長手方向長さは、おむつの全長と同一でもよいし、吸収要素５０の長さと同一でもよいし、液を受け入れる領域を中心にした短い長さ範囲内であってもよい。
【００３２】
（側部立体ギャザー）
トップシート３０上を伝わって横方向に移動する尿や軟便を阻止し、横漏れを防止するために、製品の両側に、使用面側に突出（起立）する側部立体ギャザー６０、６０を設けるのは好ましい。
この側部立体ギャザー６０は、実質的に幅方向に連続するギャザーシート６２と、このギャザーシート６２に前後方向に沿って伸張状態で固定された細長状弾性伸縮部材６３とにより構成されている。このギャザーシート６２としては撥水性不織布を用いることができ、また弾性伸縮部材６３としては糸ゴム等を用いることができる。弾性伸縮部材は、図１及び図２に示すように各複数本設ける他、各１本設けることができる。
ギャザーシート６２の内面は、トップシート３０の側部上に幅方向の固着始端を有し、この固着始端から幅方向外側の部分は、液不透過性シート１１の側部およびその幅方向外側に位置する外装シート１２の側部にホットメルト接着剤などにより固着されている。この固着部分のうち固着始端近傍の幅方向外側において、ギャザーシート６２と外装シート１２とが対向する部分のシート間に、前後方向に沿って糸ゴム等からなる脚周り弾性伸縮部材６４がそれぞれ設けられている。
脚周りにおいては、側部立体ギャザー６０の固着始端より幅方向内側は、製品前後方向両端部ではトップシート３０上に固定されているものの、その間の部分は非固定の自由部分であり、この自由部分が糸ゴム６３の収縮力により起立するようになる。おむつの、装着時には、おむつが舟形に体に装着されるので、そして糸ゴム６３の収縮力が作用するので、糸ゴム６３の収縮力により側部立体ギャザー６０が起立して脚周りに密着する。その結果、脚周りからのいわゆる横漏れが防止される。
図示形態と異なり、ギャザーシート６２の幅方向内側の部分における前後方向両端部を、幅方向外側の部分から幅方向内側に延在する基端側部分とこの基端側部分の幅方向中央側の端縁から身体側に折り返され幅方向外側に延在する先端側部分とを有する二つ折り状態で固定し、その間の部分を非固定の自由部分とすることもできる。
【００３３】
（吸収要素）
吸収要素５０は、尿や軟便などの液を吸収保持する部分である。吸収要素５０は、吸収体５６と、この吸収体５６の少なくとも裏面及び側面を包む包装シート５８とを有している。包装シート５８は省略することもできる。吸収要素５０は、その裏面においてホットメルト接着剤等の接着剤を介して液不透過性シート１１の内面に接着することができる。
【００３４】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。
【００３５】
（高吸収性ポリマー粒子）
吸収体５６は、高吸収性ポリマー粒子を含むのが好ましく、特に、少なくとも液受け入れ領域において、繊維の集合体に対して高吸収性ポリマー粒子（ＳＡＰ粒子）が実質的に厚み方向全体に分散されているものが望ましい。
吸収体５６の上部、下部、及び中間部にＳＡＰ粒子が無い、あるいはあってもごく僅かである場合には、「厚み方向全体に分散されている」とは言えない。したがって、「厚み方向全体に分散されている」とは、繊維の集合体に対し、厚み方向全体に「均一に」分散されている形態のほか、上部、下部及び又は中間部に「偏在している」が、依然として上部、下部及び中間部の各部分に分散している形態も含まれる。また、一部のＳＡＰ粒子が繊維の集合体中に侵入しないでその表面に残存している形態や、一部のＳＡＰ粒子が繊維の集合体を通り抜けて包装シート５８上にある形態も排除されるものではない。
高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
高吸収性ポリマー粒子としては、吸水速度が４０秒以下のものが好適に用いられる。吸水速度が４０秒を超えると、吸収体５６内に供給された液が吸収体５６外に戻り出てしまう所謂逆戻りを発生し易くなる。
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子の過剰によりジャリジャリした違和感を与えるようになる。
【００３６】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。繊維目付けは、５〜４０ｇ／ｍ2、特に１０〜３０ｇ／ｍ2のものが望ましい。
この包装シート５８は、図３に示すように、吸収体５６の全体を包む形態のほか、その層の裏面及び側面のみを包装するものでもよい。また図示しないが、吸収体５６の上面及び側面のみをクレープ紙や不織布で覆い、下面をポリエチレンなどの液不透過性シートで覆う形態、吸収体５６の上面をクレープ紙や不織布で覆い、側面及び下面をポリエチレンなどの液不透過性シートで覆う形態などでもよい（これらの各素材が包装シートの構成要素となる）。必要ならば、吸収体５６を、上下２層のシートで挟む形態や下面のみに配置する形態でもよいが、高吸収性ポリマー粒子の移動を防止でき難いので望ましい形態ではない。
【００３７】
（ファスニングテープ）
図１、図２及び図５に示されるように、ファスニングテープ１３は、不織布、プラスチックフィルム、ポリラミ不織布、紙やこれらの複合素材からなるシート基材の端部が付け根部１３Ｃとしておむつに取り付けられており、おむつ側縁から突出する先端側部分であるテープ本体部１３Ｂには腹側に対する係止部として、メカニカルファスナーのフック材１３Ａが設けられている。ファスニングテープ１３の付け根部１３Ｃは、サイドフラップ部における内側層をなすギャザーシート６２及び外側層をなす外装シート１２間に挟まれ、かつホットメルト接着剤により両シート６２，３０に接着されている。また、フック材１３Ａはシート基材１３Ｃに接着剤により剥離不能に接合されている。
乳幼児用おむつにおいては、付け根部１３Ｃの寸法のうち、おむつの幅方向の長さＸ１は１０〜５０ｍｍ、特に２０〜４０ｍｍであるのが好ましく、前後方向長さＹ１は、２０〜１００ｍｍ、特に４０〜８０ｍｍであるのが好ましい。また、テープ本体部１３Ｂの寸法のうち、おむつの幅方向の長さは３０〜８０ｍｍ、特に４０〜６０ｍｍであるのが好ましく、前後方向の長さ（高さ）は２０〜７０ｍｍ、特に２５〜５０ｍｍであるのが好ましい。なお、ファスニングテープ１３の一部または全部が例えば略テーパ形状をなし、前後方向長さや幅方向長さが一定でない場合は、上記数値範囲は平均値にて定める。ファスニングテープ１３の形状は、矩形形状などの左右対称形状でもよいが、幅広の取り付け部分と細長状の先端側部分からなる凸型形状であると、先端側部分の摘み部が摘みやすく、かつ左右の基部間の張力が広範囲に作用するため、好ましい。フック材１３Ａは、その外面側に多数の係合突起を有する。係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。
おむつの装着に際しては、背側のサイドフラップ部ＳＦを腹側のサイドフラップ部ＳＦの外側に重ねた状態で、ファスニングテープを腹側Ｆ外面の適所に係止する。この係止領域の位置及び寸法は任意に定めることができる。乳幼児用おむつにおいては、係止領域は、前後方向２０〜８０ｍｍ、幅方向１５０〜３００ｍｍの矩形範囲とし、その上端縁と腹側上縁との高さ方向離間距離を０〜６０ｍｍ、特に２０〜５０ｍｍとし、かつ製品の幅方向中央とするのが好ましい。
ファスニングテープ１３は、背側のエンドフラップ部ＥＦと吸収要素５０の境界線上にファスニングテープ１３の付け根部１３Ｃが重なるように取り付けられていると、おむつ装着時に左右のファスニングテープ１３の取り付け部分間に働く張力により、吸収要素５０の背側端部がしっかりと体に押し当てられるため、好ましい。また、ファスニングテープ１３の取り付け部分が、おむつの背側端部（後端部）と離れすぎていると、おむつ装着時に左右のファスニングテープ１３の付け根部１３Ｃ間に働く張力がおむつの背側端部にまで及ばないため、おむつの背側端部と身体表面との間に隙間が生じやすい。従って、背側のエンドフラップ部ＥＦの前後方向長さは、ファスニングテープ１３の付け根部１３Ｃの前後方向長さと同じか又は短いことが好ましい。
【００３８】
（ターゲットシート）
腹側Ｆにおけるファスニングテープ１３の係止箇所には、係止を容易にするためのターゲット有するターゲットシート１２Ｔを設けるのが好ましい。ターゲットシート１２Ｔは、フック材１３Ａの係合突起が絡まるようなループ糸がプラスチックフィルムや不織布からなるシート基材の表面に多数設けられたもの等を用いることができる。また、腹側Ｆにおけるファスニングテープ１３の係止箇所が不織布からなる場合、例えば図示形態の外装シート１２が不織布からなる場合であって、ファスニングテープ１３の係止部がフック材１３Ａの場合には、ターゲットシート１２Ｔを省略し、フック材１３Ａを外装シート１２の不織布に絡ませて係止することもできる。この場合、ターゲットシート１２Ｔを外装シート１２と液不透過性シート１１との間に設けてもよい。
【００３９】
（エンドフラップ部）
エンドフラップ部は、吸収性本体部１０の前側及び後側にそれぞれ延出する部分であって、且つ吸収要素５０を有しない部分であり、前側の延出部分が腹側エンドフラップ部ＥＦであり、後側の延出部分が背側エンドフラップ部ＥＦである。
背側エンドフラップＥＦの前後方向長さは、前述の理由によりファスニングテープ１３の取り付け部分の前後方向長さと同じか短い寸法とすることが好ましく、また、おむつ背側端部と吸収要素５０とが近接しすぎると、吸収要素５０の厚みとコシによりおむつ背側端部と身体表面との間に隙間が生じやすいため、１０ｍｍ以上とすることが好ましい。
腹側エンドフラップ部ＥＦ及び背側エンドフラップ部ＥＦの前後方向長さは、おむつ全体の前後方向長さＬの５〜２０％程度とするのが好ましく、乳幼児用おむつにおいては、１０〜６０ｍｍ、特に２０〜５０ｍｍとするのが適当である。
【００４０】
（背側伸縮シート）
図示形態では、両ファスニングテープ１３間に、幅方向に弾性伸縮する帯状の背側伸縮シート７０が設けられ、おむつ背側部におけるフィット性を向上させている。背側伸縮シート７０の両端部は両ファスニングテープ１３の取り付け部分と重なる部位まで延在されているのが好ましいが、幅方向中央側に離間していても良い。背側伸縮シート７０の前後方向寸法は、ファスニングテープ１３の取り付け部分の前後方向寸法と概ね同じにするのが適当であるが、±２０％程度の寸法差はあってもよい。また、図示のように背側伸縮シート７０が背側エンドフラップ部ＥＦと吸収要素５０の境界線と重なるように配置されていると、吸収要素５０の背側端部がしっかりと体に押し当てられるため、好ましい。背側伸縮シート７０は、ゴムシート等のシート状弾性部材を用いても良いが、通気性の観点から不織布や紙を用いるのが好ましい。この場合、伸縮不織布のような通気性を有するシート状弾性部材を用いることもできるが、図５に示すように、二枚の不織布等のシート基材７１をホットメルト接着剤等の接着剤により張り合わせるとともに、両シート基材７１間に有孔のシート状、網状、細長状（糸状又は紐状等）等の弾性伸縮部材７２を幅方向に沿って伸張した状態で固定したものが好適に用いられる。この場合におけるシート基材７１としては、外装シート１２と同様のものを用いることができる。弾性伸縮部材７２の伸張率は１５０〜２５０％程度であるのが好ましい。また、弾性伸縮部材７２として細長状（糸状又は紐状等）のものを用いる場合、太さ４２０〜１１２０ｄｔｅｘのものを３〜１０ｍｍの間隔７２ｄで５〜１５本程度設けるのが好ましい。
また、図示のように弾性伸縮部材７２の一部が吸収要素５０を横断するように配置すると、吸収要素５０のフィット性が向上するため好ましいが、この場合は、弾性伸縮部材７２が吸収要素５０と重なる部分の一部又は全部を、切断等の手段により収縮力が働かないようにすると、吸収要素５０の背側端部が幅方向に縮まないため、フィット性がさらに向上する。
なお、弾性伸縮部材７２は、シートの長手方向（おむつの幅方向）にシート基材７１の全長にわたって固定されていてもよいが、おむつ本体への取り付け時の縮みやめくれ防止のため、シートの前後方向（おむつの幅方向）端部の５〜２０ｍｍ程度の範囲においては、収縮力が働かないように、または弾性伸縮部材７２が存在しないようにするとよい。
背側伸縮シート７０は、図示形態では、液不透過性シート１１の幅方向両側ではギャザーシート６２と外装シート１２との間に挟まれ、且つ液不透過性シート１１と重なる部位では、液不透過性シート１１と吸収要素５０との間に挟まれるように設けられているが、液不透過性シート１１と外装シート１２との間に設けても良いし、外装シート１２の外面に設けても良く、またトップシート３０と吸収要素５０との間に設けてもよい。また、背側伸縮シート７０はトップシート３０の上に設けても良く、この場合、液不透過性シート１１の幅方向両側ではギャザーシート６２の上に設けても良い。また、外装シート１２を複数枚のシート基材を重ねて形成する場合には、背側伸縮シート７０全体を、外装シート１２のシート基材間に設けても良い。
【００４１】
（インジケータ）
排泄物の液分と接触する可能な部位には、排泄物の液分により呈色又は消色するインジケータ８０を設けることができる。インジケータ８０は、体液などの水分との接触により呈色反応を示すような着色剤及び／又は水分中のｐＨを検知して呈色反応を示すような着色剤、或いは体液との反応により着色が消失する反応、着色剤が尿により溶解（分散）して滲んだり消失したりする反応、その他の視覚的変化を示す薬剤が含有されたインク又は接着剤、或いは水分又は体液との接触により視覚的変化を示す薬剤（インジケータ反応手段）を含有するシート状部材により構成されている。例えば、体液などの水分との接触により呈色反応を示すような着色剤として、水溶性、水分解性染料又はロイコ染料と該ロイコ染料を発色させるフェノール性化合物、酸性物質、電子受容性物質等の顕色剤とからなる着色剤を使用することが可能である。
呈色により現れる色は特に限定されないが、おむつ外面と同じ色（通常は白色）であると紛れて見え難くなるため、おむつ外面と異なる色に呈色するものが好適である。
上述のインク又は接着剤により構成されたインジケータ８０は、図２及び図３に示されるように、所定の塗布領域に塗布される。なお、図２及び図３に示されるインジケータ８０は、前述のインク又は接着剤の塗布領域を示したものである。この領域は、吸収体５６の配置範囲に含まれるのが好ましく、幅方向中央部に位置し、幅が０．３〜１４．０ｃｍ程度、好ましくは０．５〜２．０ｃｍ程度で、長さがおむつ全長Ｌの６０〜９０％の領域であり、吸収体５６に吸収された排泄物との接触が効率よく行われる領域である。インジケータ８０は、おむつ内面から視認できるような位置や、脚周りの立体ギャザー部から視認できるような位置に設けられていても良いが、おむつ外面から視認できるように、吸収体５６の裏面と液不透過性シート１１との間、具体的には液不透過性シート１１の吸収体５６側面、または包装シート５８の内面又は外面に、インジケータ８０を構成するインク又は接着剤を塗布することにより形成するのが望ましい。塗布パターンは特に限定されず、図示例のような多数の筋状に塗布する他、面状、帯状等に塗布することができる。もちろん、インジケータ８０を形成したシートを別途製造し、このシート状のインジケータ８０をおむつ内に内蔵させることもできる。
インジケータ８０の成分は、インジケータ８０がインクから構成される場合、インクに着色剤が添加されたものであり、インジケータ８０が接着剤から構成される場合、水溶性ポリマーあるいは親水性ポリマーに樹脂などからなる非水溶性成分および着色剤が添加されたものである。接着剤から構成される場合の具体例は、ポリエチレングリコール分子量１００〜５００と、ポリビニルピロリドン、酢酸ビニルコポリマーと、水溶性ポリエステルとからなる水溶性ポリマーに、高極性粘着付与樹脂および可塑剤の非水溶性成分と、接触する液体の酸性・アルカリ性の程度（ｐＨ）を変色によって指示する着色剤とで構成されている。
【００４２】
インジケータ８０を接着剤により構成した場合、接着剤には、公知の各種接着剤を使用することが可能である。その一例として、ホットメルト接着剤を使用した場合について詳述すると、インジケータ８０として着色剤を含有したホットメルト接着剤を使用することにより、着色剤の拡散や浸出などが防止できるとともに、シート状のインジケータを設ける場合に比べると、インラインで簡単に実施できるためインジケータの付設作業工程が大幅に省力化できるようになる。この際、インジケータホットメルト接着剤の塗布量は、１５〜４０ｇ／ｍ2であることが好ましい。１５ｇ／ｍ2より少量であるとインジケータとしての機能が損なわれ、４０ｇ／ｍ2より多いと接着剤の硬化によるゴワ付き感が生じる。
一方、シート状部材からなるインジケータ８０を使用する場合には、このシート状部材を液不透過性シート１１と吸収体５６との間、具体的には吸収体５６と包装シート５８内面との間又は包装シート５８の裏面と液不透過性シート１１との間に配置するようにする。なお、このシート状のインジケータ８０を使用した場合には、液体性のインジケータ８０を塗布して設ける場合と比べて、部材点数は増えるが、必要部位に必要量だけ使用することが容易に行えるようになり、インジケータ反応手段を含むシート状部材の使用面積の低減を図ることにより低コスト化できるようになる。
【００４３】
（外装シート）
外装シート１２は吸収要素５０を支持し、着用者に装着するための部分である。外装シート１２は、両側部の前後方向中央部が括れた砂時計形状とされており、ここが着用者の脚回りに沿う部位となる。
外装シート１２としては、柔軟で嵩高な感触を得るために、目付け１５〜５０ｇ／ｍ2（より好ましくは２５〜３０ｇ／ｍ2）、厚み０．３〜３．０ｍｍ（より好ましくは０．８〜１．５ｍｍ）、繊度１．０〜５．０ｄｔｅｘ（より好ましくは１．５〜３．０ｄｔｅｘ）、かつ繊維長１〜５１ｍｍ（より好ましくは３０〜５１ｍｍ）の短繊維不織布を用いる。繊維の材質は特に限定されず、たとえばポリエチレンまたはポリプロピレン等のオレフィン系、ポリエステル系、ポリアミド系等の合成繊維の他、レーヨンやキュプラ等の再生繊維、綿等の天然繊維を用いることができ、加工法としてはスパンボンド法、ポイントボンド法、エアスルー法等を用いることができる。このうちエアスルー不織布が特に好ましい。
【００４４】
特徴的には、外装シート１２における係止領域（図示例ではターゲットシート１２Ｔ）以外の外面に、多数のエンボス凹部１４が形成されることによって、エンボス凹部１４に対して相対的に突出する多数の凸部１５が形成されている。なお、「係止領域以外の外面に…エンボス凹部が形成される」とは、図示形態のように係止領域と重なる位置にエンボス凹部１４が形成されているものの、ターゲットシート１２Ｔ等で覆われている形態も含む。このように、外装シート１２として柔軟で嵩高な不織布を用いても、外装シート１２における係止領域以外の外面に、多数の線状又は点状のエンボス凹部１４が形成されることによって、エンボス凹部１４に対して相対的に突出する多数の凸部１５が形成されていると、表面の接触面積が減少することによりファスニングテープ１３のフック材１３Ａがくっつき難くなる。つまり、おむつ交換の際にファスニングテープ１３のフック材１３Ａが外装シート１２表面に勝手にくっつき難くなり、その結果外装シート１２の毛羽立ちや、破れが発生し難くなる。また、エンボス凹部１４では繊維が圧縮されて強固に固定されるため、仮に凸部１５にフック材１３Ａがくっつきこれを剥がしたとしても、毛羽立ちや破れは発生し難い。しかも、凸部１５に適度な弾力性が生まれるため、柔軟な肌触りが損なわれることもない。
【００４５】
エンボス凹部１４は、エンボス加工やギア加工（加熱を伴う加工が好ましいが、非加熱でも良い）により局所的に圧縮された部分を意味し、その底部が加工時の圧縮部（エンボスロールの凸部）と略同じ寸法になる。
エンボス凹部１４の寸法は適宜定めることができるが、通常の場合、外装シート１２における凸部１５の厚み１５ｔは１．０〜５．０ｍｍ（特に１．０〜２．０ｍｍ）とするのが好ましく、エンボス凹部１４の底部１６の厚み１４ｔは０．１〜１．０ｍｍ（特に０．３〜０．５ｍｍ）とするのが好ましく、また、エンボス凹部１４の底部１６の面積率（多数のエンボス凹部１４の形成領域の面積に対するエンボス凹部１４の底部１６の総面積の割合）は、１０〜５０％（特に２０〜３０％）とするのが好ましい。
特に、外装シート１２は腹側部分Ｆの両側部ＳＰにファスニングテープ１３のフック材１３Ａがくっつきやすい。よって、図２に示すように、この部分におけるエンボス凹部１４の底部１６の面積率（多数のエンボス凹部１４の形成領域の面積に対するエンボス凹部１４の底部１６の総面積の割合）を相対的に中間部ＭＰよりも大きくすることにより、フック材１３Ａをよりくっつき難くするのが好ましい。具体的にはエンボス凹部１４の底部１６の面積率は両側部ＳＰでは１０〜４０％とし、中間部ＭＰでは５〜３０％とするのが好ましい。
【００４６】
エンボス凹部１４の形状は、図２に示すような線状の他、図９に示すような点状とすることができる。エンボス凹部１４の形状を線状とする場合、図示形態のような直線状とする他、波線状等にすることもでき、またその方向も図示形態のように前後方向に沿わせる他、幅方向やこれらと交差する斜め方向に沿わせることもできる。また、エンボス凹部１４の形状を点状とする場合、図示形態のような円形状とする他、楕円形状や多角形状とすることができる。
エンボス凹部１４を線状とする場合、その寸法は適宜定めることができるが、通常の場合、線状凹部の底部１６の幅１６ｗは０．１〜２．０ｍｍ（特に０．４〜１．０ｍｍ）とするのが好ましく、また、隣接する線状凹部の底部１６の幅方向間隔１６ｄは１．０〜５．０ｍｍ（特に２．０〜３．０ｍｍ）とするのが好ましい。また、点状とする場合は、前後方向及び幅方向の間隔を１．０〜５．０ｍｍ（特に２．０〜３．０ｍｍ）とするのが好ましい。
【００４７】
また、使い捨ておむつにはインジケータ８０を設けることが一般的となっているが、エンボス凹部１４がインジケータ８０と重なると、インジケータ８０の見え具合に影響を及ぼすおそれがあるため、図２に示すように、インジケータ８０を避けてエンボス凹部１４を設けるのが好ましい。
【００４８】
他方、前述のとおり、外装シート１２は腹側部分Ｆの両側部ＳＰにファスニングテープ１３のフック材１３Ａがくっつきやすい。よって、この部分の毛羽立ちや破れをより効果的に防止するために、外装シート１２を液不透過性シート１１及びギャザーシート６２に貼り合わせるためのホットメルト接着剤の塗布量を均一とするのではなく、図２に示すように、外装シート１２の両側部ＳＰにおけるホットメルト接着剤塗布量を中間部ＭＰよりも多くするのが好ましい。この多量塗布領域は図２に斜線模様で示されている。ただし、そのままではホットメルト接着剤による硬さが目立つようになるため、この多量塗布領域に前述のエンボス凹部１４を形成し、外装シート１２に弾力性を持たせ、硬さを隠蔽するのが好ましい。接着剤の塗布量に差を付ける場合、同じ塗布パターンで塗布量を変えるよりも、塗布パターンも含めて変える方が好ましく、例えば中間部ＭＰについてはスパイラル塗布とし、両側部ＳＰについてはベタ塗りとすることができる。なお、図示例では外装シート１２の両側部ＳＰの前後方向全体にわたり、ホットメルト接着剤の塗布量を多量にしているが、腹側部分Ｆのみとしても良い。両側部ＳＰの多量塗布領域の幅は適宜定めることができるが、通常の場合、係止領域（図示例ではターゲットシート１２Ｔ）の側縁近傍からおむつの側縁までとするのが好ましい。接着剤の塗布量は適宜定めることができるが、両側部ＳＰの多量塗布領域においては０．０５〜０．５０ｇ／ｍ2（より好ましくは０．１５〜０．３０ｇ／ｍ2）程度とするのが好ましく、中間部ＭＰの少量塗布領域においては０．１〜１．０ｇ／ｍ2（より好ましくは０．２〜０．５ｇ／ｍ2）程度とするのが好ましい。
【００４９】
また、外装シート１２における少なくともファスニングテープ１３の付け根部１３Ｃと重なる領域にエンボス凹部１４が形成されていると、ファスニングテープ１３の取付強度が低下することがある。よって、図１０に示すように、外装シート１２における少なくともファスニングテープ１３の付け根部１３Ｃと重なる領域にはエンボス凹部１４を形成しないのが好ましい。なお、図１０に示す例では外装シート１２の両側部ＳＰの前後方向全体にわたり、エンボス凹部１４を形成していないが、ファスニングテープ１３の付け根部１３Ｃと重なる領域以外にはエンボス凹部１４を形成しても良い。
【００５０】
＜用語の説明＞
用語「前後方向（縦方向）」とは腹側（前側）と背側（後側）を結ぶ方向を意味し、「幅方向」とは前後方向と直交する方向（左右方向）を意味し、「上下方向」とはおむつの装着状態、すなわちおむつの腹側部分と背側部分を重ね合わせるようにおむつを股間部で２つに折った際に幅方向と直交する方向を意味する。
また、用語「伸長率」は自然長を１００％としたときの値を意味する。
また、用語「厚み」は、圧力０．５ｇｆ／ｃｍ2における厚みを意味する。
【産業上の利用可能性】
【００５１】
本発明は、テープタイプ使い捨ておむつに利用可能なものである。
【符号の説明】
【００５２】
１１…液不透過性シート、１２…外装シート、１３…ファスニングテープ、１３Ａ…フック材、１３Ｂ…テープ本体部、１３Ｃ…付け根部、３０…トップシート、４０…中間シート、５０…吸収要素、５６…吸収体、５８…包装シート、６０…側部立体ギャザー、６２…ギャザーシート、７０…背側伸縮シート、１２Ｔ…ターゲットシート、８０…インジケータ、１４…エンボス凹部、１５…凸部、１６…底部、ＳＰ…両側部、Ｆ…腹側部分、ＭＰ…中間部。
【図１】
0005941278.tif 000002
【図２】
0005941278.tif 000003
【図３】
0005941278.tif 000004
【図４】
0005941278.tif 000005
【図５】
0005941278.tif 000006
【図６】
0005941278.tif 000007
【図７】
0005941278.tif 000008
【図８】
0005941278.tif 000009
【図９】
0005941278.tif 000010
【図１０】
0005941278.tif 000011